(57)【要約】【課題】顔を押し付けても集音性能を確保できるとともに、外観を損なわない電子機器を提供する。【解決手段】第１筐体２０は、第１回転軸４１を介して第２筐体３０と相対的に回動可能に連結される。操作部２３を有する第１筐体２０の表面２１１に対して交差し、第１筐体支持部２５を有する端面２４にマイク音孔２６を設けたので、使用者の口腔の近辺にマイク音孔を設ける必要がなく、小型化を図ることができる。また、マイク音孔２６は、使用時に、使用者の顔に密着して塞がれることがないので、集音性能の低下を防止できるとともにマイク音孔２６が外部から見えないので外観を向上できる。【選択図】図２
2013005349.tif 000002
【特許請求の範囲】
【請求項１】
ヒンジ軸を介して連結され、相対的に回動可能な第１筐体および第２筐体と、
前記第１筐体の第１の表面に設けられた操作部と、
前記第１筐体の前記第１の表面とは異なる第２の表面に設けられたマイク音孔と、を備え、
前記第１筐体は、前記ヒンジ軸を支持する第１筐体支持部を有し、
前記マイク音孔は、前記第１筐体の前記ヒンジ軸側の端面に設けられた電子機器。
【請求項２】
請求項１に記載の電子機器において、
前記マイク音孔は、前記第１の表面に対して直交する端面であって、前記第１筐体支持部の間の端面に設けられた電子機器。
【請求項３】
請求項１または請求項２に記載の電子機器において、
前記第１筐体および前記第２筐体の連結方向に対して直交する前記第１筐体の幅方向中央部に収容されたカメラユニットと、
前記第１筐体に収容され、前記カメラユニットを囲む平面略凹字形状の回路基板と、
前記回路基板に実装され、前記回路基板に設けられた貫通孔を通じて集音するマイクユニットと、
前記第１筐体の内部において前記マイク音孔から前記貫通孔まで連続する溝部と、
前記溝部の少なくとも一部を覆う蓋部材とを備え、
前記回路基板が前記蓋部材を固定するとともに、前記溝部の終端に前記貫通孔が配置される電子機器。
【請求項４】
請求項１ないし請求項３のうちのいずれか１項に記載の電子機器において、
前記マイク音孔に隣接して設けられた気圧調整孔を備え、
前記マイク音孔および前記気圧調整孔が共通の防水部材および化粧部材に覆われている電子機器。
【請求項５】
ヒンジ軸を介して連結され、相対的に回動可能な第１筐体および第２筐体と、
前記第１筐体における表面に設けられた操作部と、
前記第１筐体における前記表面に対して交差する端面に設けられ、前記ヒンジ軸を支持する複数の第１筐体支持部と、
前記表面における前記各第１筐体支持部間の領域に設けられたマイク音孔とを備える電子機器。
【発明の詳細な説明】
【技術分野】
【０００１】
本発明は、ヒンジ軸を介して相対的に回動可能に連結される一対の筐体を有する電子機器に関するものである。
【背景技術】
【０００２】
従来より、ヒンジ軸を介して相対的に回動可能に連結される一対の筐体を有する電子機器である携帯端末においては、使用者の口腔の近傍にマイク音孔を設けると、小型化の妨げになるため、使用者の口腔から離れた位置にマイク音孔を設ける場合がある（例えば、特許文献１参照）。
図１２および図１３に示すように、特許文献１に記載の折畳型の携帯端末１００においては、第１筐体１０１と第２筐体１０２とが、ヒンジ部１０３を介して相対的に回動可能に連結される。第１筐体１０１は、表示部１０４とスピーカ１０５を有する。第２筐体１０２は、音孔１０６、特殊操作部１０７及びメイン操作部１０８を有する。
第２筐体１０２の表面の音孔１０６及び特殊操作部１０７の周囲にはスリット（ 凹溝）１０９が施されている。また第２筐体１０２の内部にはマイク１１０が設けられている。マイク１００ は音孔１０６を通じて操作者の音声等を拾い、電気信号に変換して送信する。
【先行技術文献】
【特許文献】
【０００３】
【特許文献１】特開２００５−１３６７２２号公報（第１図、第２図）
【発明の概要】
【発明が解決しようとする課題】
【０００４】
しかしながら、従来の電子機器においては、音孔１０６が第１筐体１０１の表面にあるため、音孔１０６の前にスリット１０９を設けたとはいえ、スリット１０９に顔が押し付けられると、本来の集音性能が発揮できないという問題があった。
また、スリット１０９は表面に露出しているため、外観上好ましくないという問題があった。
【０００５】
本発明は、従来の問題を解決するためになされたもので、顔を押し付けても集音性能を確保できるとともに、外観を損なわない電子機器を提供することを目的とする。
【課題を解決するための手段】
【０００６】
本発明の電子機器は、ヒンジ軸を介して連結され、相対的に回動可能な第１筐体および第２筐体と、前記第１筐体の第１の表面に設けられた操作部と、前記第１筐体の前記第１の表面とは異なる第２の表面に設けられたマイク音孔と、を備え、前記第１筐体は、前記ヒンジ軸を支持する第１筐体支持部を有し、前記マイク音孔は、前記第１筐体の前記ヒンジ軸側の端面に設けられたものである。
また、本発明の電子機器は、前記マイク音孔は、前記第１の表面に対して直交する端面であって、前記第１筐体支持部の間の端面に設けられたものである。
【０００７】
また、本発明の電子機器は、前記第１筐体および前記第２筐体の連結方向に対して直交する前記第１筐体の幅方向中央部に収容されたカメラユニットと、前記第１筐体に収容され、前記カメラユニットを囲む平面略凹字形状の回路基板と、前記回路基板に実装され、前記回路基板に設けられた貫通孔を通じて集音するマイクユニットと、前記第１筐体の内部において前記マイク音孔から前記貫通孔まで連続する溝部と、前記溝部の少なくとも一部を覆う蓋部材とを備え、前記回路基板が前記蓋部材を固定するとともに、前記溝部の終端に前記貫通孔が配置されたものを含む。
【０００８】
また、本発明の電子機器は、前記マイク音孔に隣接して設けられた気圧調整孔を備え、前記マイク音孔および前記気圧調整孔が共通の防水部材および化粧部材に覆われたものを含む。
【０００９】
さらに、本発明の電子機器は、ヒンジ軸を介して連結され、相対的に回動可能な第１筐体および第２筐体と、前記第１筐体における表面に設けられた操作部と、前記第１筐体における前記表面に対して交差する端面に設けられ、前記ヒンジ軸を支持する複数の第１筐体支持部と、前記表面における前記各第１筐体支持部間の領域に設けられたマイク音孔とを備えたものである。
【発明の効果】
【００１０】
本発明は、第１筐体と第２筐体がヒンジ軸を介して回動可能に支持される電子機器において、操作部を有する第１筐体の表面に対して交差し、第１筐体支持部を有する端面にマイク音孔を設けたので、使用者の口腔の近辺にマイク音孔を設ける必要がなく、小型化を図ることができる。また、マイク音孔は、使用時に、使用者の顔に密着して塞がれることがないので、集音性能の低下を防止できるとともにマイク音孔が外部から見えないので外観を向上できるという効果を有する電子機器を提供できる。
【図面の簡単な説明】
【００１１】
【図１】本発明に係る第１実施形態の携帯端末を開いた状態の斜視図
【図２】第１筐体の斜視図
【図３】第１筐体の分解斜視図
【図４】カメラユニットをレンズ側から見た斜視図
【図５】回路基板の端部を上面側から見た拡大斜視図
【図６】回路基板の端部を下面側から見た拡大斜視図
【図７】図３中ＶＩＩ部分の一部透視の拡大図
【図８】図７中ＶＩＩＩ−ＶＩＩＩ位置の断面図
【図９】図８中ＩＸ−ＩＸ位置の断面図
【図１０】（Ａ）は蓋部材を上方から見た斜視図であり、（Ｂ）は蓋部材を裏返した斜視図
【図１１】本発明に係る第２実施形態の携帯端末の斜視図
【図１２】従来の折畳型携帯電話機の筐体展開時の正面図
【図１３】図１２におけるＸＩＩＩ−ＸＩＩＩ位置の断面図
【発明を実施するための形態】
【００１２】
（第１実施形態）
以下、本発明に係る第１実施形態の電子機器について、図面を用いて説明する。
図１に示すように、本発明の実施形態である電子機器としての携帯端末１０は、第１筐体２０と、第２筐体３０と、第１筐体２０および第２筐体３０を回動可能に連結するヒンジ部４０を有する。
【００１３】
ヒンジ部４０は、ヒンジ軸である第１回転軸４１を軸にして第１筐体２０および第２筐体３０を使用状態（開状態）と携帯状態（閉状態）との間で矢印Ａ方向に回動自在に連結する。
また、ヒンジ部４０は、第２回転軸４２を軸にして第２筐体３０を矢印Ｂ方向に回動自在に連結する。
なお、第１回転軸４１および第２回転軸４２とは、軸となる部材が存在するものに限らず、軸となる部材はないが、回転可能に支持されている状態をも含む意味である。
【００１４】
第２筐体３０は、内面３１に表示部３２およびレシーバ３３を有する。
第１筐体２０は、いわゆるバスタブ構造であり、略Ｕ字形の断面形状の筐体底部を、図示しない板金等により覆うことにより、底面が略Ｕ字形に丸まった略矩形体状の箱形に形成されている。第１筐体２０の表面（第１の表面）２１１に開口２１２が形成され、開口２１２には複数のキー２３１を有する操作部であるキーシート２３が設けられている。
【００１５】
図２に示すように、第１筐体２０における表面２１１に対して交差する端面２４には、幅方向両端部にヒンジ軸である第１回転軸４１(図１参照)を支持する第１筐体支持部２５，２５を有する。これに対応して、第２筐体３０は、幅方向中央部に１個の第２筐体支持部３４を有する（図１参照）。
従って、第１筐体２０の一対の第１筐体支持部２５，２５の間に、第２筐体３０の１個の第２筐体支持部３４が、第１回転軸４１によって回転可能に連結されることになる。
【００１６】
そして、一対の第１筐体支持部２５，２５の間の端面２４（第２の表面）には、マイク音孔２６および気圧調整孔２７が設けられている。マイク音孔２６および気圧調整孔２７の前方には、防水部材である防水シート２８および化粧部材である化粧パネル２９が取り付けられており、防水するとともに外観の向上を図っている。防水シート２８は、防水シート２８の外縁に沿って全周する両面テープ５４(図８参照)により第１筐体２０の端面２４に取り付けられる。
【００１７】
図３に示すように、第１筐体２０の内部には、回路基板５１およびカメラユニット５２が収容される。
図４に示すように、カメラユニット５２は、全体直方体形状の本体５２１を有しており、第１筐体２０の幅方向中央部に収容される。カメラユニット５２は、本体５２１の下面５２２中央にレンズ５２３を有する。本体５２１は、本体５２１を第１筐体２０に取り付けるために、カメラホルダ５２４が取り付けられている。カメラホルダ５２４は、取り付けた状態で衝撃を吸収するためのダンパー部５２５および取付の際に使用する爪部５２６を有する。
なお、ここでは、図３に示すように、レンズ５２３を下向きにして、第１筐体２０に設けられているカメラ開口２２１にレンズが位置決めされるようにカメラユニット５２を取り付ける。
【００１８】
図３および図５に示すように、回路基板５１は、カメラユニット５２に干渉しないように中央にカメラ用開口部５１１を有しており、全体としてカメラユニット５２を囲む平面略凹字形状となっている。回路基板５１の上面５１２におけるカメラ用開口部５１１の近傍には、マイクユニット５３が実装されている。回路基板５１に実装されたマイクユニット５３とキーシート２３との間には、クッション材５７を介在させて、がたつきを防止している（図８および図９参照）。
また、図６に示すように、マイクユニット５３の下側には、回路基板５１に貫通孔５１３が設けられている。
【００１９】
図８および図９に示すように、マイク音孔２６から回路基板５１の貫通孔５１３まで、音を導くための溝部としての導音路５５が連続して設けられている。
前述したように、マイク音孔２６は回路基板５１の幅方向略中心位置に設けられており、マイクユニット５３は回路基板５１の中央のカメラ用開口部５１１の外側に設けられている。このため、導音路５５は、マイク音孔２６に連続して第１筐体２０の長手方向に沿って設けられた第１導音路５５１と、第１導音路５５１から直角に交差して第１筐体２０の幅方向に沿って設けられた第２導音路５５２とから構成される。
第２導音路５５２の先端部はマイクユニット５３の下方に達しており、上方へ屈曲して回路基板５１の貫通孔５１３に接続される。
【００２０】
図７および図９に示すように、第２導音路５５２は、製作上の観点から上方に開口した例えばＵ字形状をしている。このため、第２導音路５５２の開口の上から蓋部材５６を取り付けて、管路としている。蓋部材５６は、回路基板５１の下面に取り付けられる。
図１０に示すように、蓋部材５６は、矩形板状の蓋本体５６１を有しており、蓋本体５６１には第２導音路５５２の端部の上向きの部分が挿嵌される切欠き５６２と、第２導音路５５２の開口に嵌入すべく下方へ突出する嵌入部５６３を有する。また、蓋本体５６１の長手方向一方の端部には、エンドプレート５６４が設けられている。
従って、図９に示すように、嵌入部５６３を第２導音路５５２の開口に嵌入し、切欠き５６２がマイクユニット５３の貫通孔５１３を含むように、蓋部材５６を取り付ける。これにより、第２導音路５５２も、第１導音路５５１と同様に管路を形成する。
【００２１】
従って、マイク音孔２６から集音された音は、マイク音孔２６に連続する第１導音路５５１を通って第１筐体２０の長手方向内部に進み、さらに、第２導音路５５２を通って第１筐体２０の幅方向へ進んで、マイクユニット５３の真下に達する。そして、回路基板５１を貫通して設けられている貫通孔５１３を通って、マイクユニット５３に達する。
【００２２】
以上、説明した本発明に係る第１実施形態の携帯端末１０によれば、第１筐体２０は、第１回転軸４１を介して第２筐体３０と相対的に回動可能に連結される。キーシート２３を有する第１筐体２０の表面２１１に対して交差して第１筐体支持部２５を有する端面２４にマイク音孔２６を設けたので、使用者の口腔の近辺にマイク音孔を設ける必要がなく、小型化を図ることができる。また、マイク音孔２６は、使用時に、使用者の顔に密着して塞がれることがないので、集音性能の低下を防止できるとともにマイク音孔２６が外部から見えないので外観を向上できる。
【００２３】
また、カメラユニット５２は、第１筐体２０および第２筐体３０の連結方向に対して直交する第１筐体２０の幅方向中央部に収容され、平面略凹字形状をした回路基板５１がカメラユニット５２を囲む。回路基板５１にはマイクユニット５３が実装されており、第１筐体２０の端面２４に設けられたマイク音孔２６で集音した音は、マイク音孔２６から貫通孔５１３まで連続する導音路５５を介して伝達されて、マイクユニット５３に至る。このため、第１筐体２０の端面２４に設けたマイク音孔２６で拾った音を、効率よくマイクユニット５３に伝達できる。
また、導音路５５（溝部）の少なくとも一部を覆う蓋部材５６が回路基板５１に固定されているので、マイク音孔２６の位置に左右されず、回路基板５１の下側に導音路５５を管状に形成することができ、漏音を防止して、効率よく音を伝達することができる。
【００２４】
マイク音孔２６に隣接して設けられている内部の気圧を調整する気圧調整孔２７と、マイク音孔２６とを、共通の防水シート２８および化粧パネル２９で覆うので、部品点数の減少および制作工程の削減ができる。
【００２５】
なお、前述した携帯端末１０においては、第１筐体２０における一対の第１筐体支持部２５、２５によって、第２筐体３０の第２筐体支持部３４を回転可能に支持する場合について説明したが、これに限らない。
例えば、１個の第１筐体支持部２５によって、１個の第２筐体支持部３４を回転可能に支持する場合にも適用可能である。
【００２６】
（第２実施形態）
次に、本発明に係る第２実施形態の携帯端末１０について説明する。
なお、前述した第１実施形態に係る携帯端末１０と共通する部位には同じ符号を付して、重複する説明を省略することとする。
【００２７】
図１１に示すように、本発明に係る第２実施形態の携帯端末１０Ｂにおいては、第１筐体支持部２５Ｂが、第１筐体２０Ｂにおける表面２１３側に突出している。
このような場合には、マイク音孔２６を一対の第１筐体支持部２５Ｂ、２５Ｂの間、すなわち表面２１３に設けることができる。
【００２８】
以上、説明した本発明に係る第２実施形態の携帯端末１０Ｂによれば、前述した第１実施形態の携帯端末１０と同様の作用・効果を得ることができ、使用者の口腔の近辺にマイク音孔を設ける必要がなく、小型化を図ることができる。また、マイク音孔は、使用時に、使用者の顔に密着して塞がれることがないので、集音性能の低下を防止できるとともにマイク音孔が外部から見えないので外観を向上できる。
【００２９】
なお、本発明の電子機器は、前述した各実施形態に限定されるものでなく、適宜な変形，改良等が可能である。
【産業上の利用可能性】
【００３０】
以上のように、本発明にかかる電子機器は、第１筐体と第２筐体がヒンジ軸を介して回動可能に支持される電子機器において、操作部を有する第１筐体の表面に対して交差し、第１筐体支持部を有する端面にマイク音孔を設けたので、使用者の口腔の近辺にマイク音孔を設ける必要がなく、小型化を図ることができる。また、マイク音孔は、使用時に、使用者の顔に密着して塞がれることがないので、集音性能の低下を防止できるとともにマイク音孔が外部から見えないので外観を向上できるという効果を有し、ヒンジ軸を介して相対的に回動可能に連結される一対の筐体を有する電子機器等として有用である。
【符号の説明】
【００３１】
１０、１０Ｂ  携帯端末（電子機器）
２０、２０Ｂ  第１筐体
２１１、２１３  表面（第１の表面）
２３  キーシート（操作部）
２４  端面（第２の表面）
２５、２５Ｂ  第１筐体支持部
２６  マイク音孔
２７  気圧調整孔
２８  防水シート（防水部材）
２９  化粧パネル（化粧部材）
３０  第２筐体
４１  第１回転軸（ヒンジ軸）
５１  回路基板
５１３  貫通孔
５２  カメラユニット
５３  マイクユニット
５５１  第１導音路（溝部）
５５２  第２導音路（溝部）
５６  蓋部材
【図１】
2013005349.tif 000003
【図２】
2013005349.tif 000004
【図３】
2013005349.tif 000005
【図４】
2013005349.tif 000006
【図５】
2013005349.tif 000007
【図６】
2013005349.tif 000008
【図７】
2013005349.tif 000009
【図８】
2013005349.tif 000010
【図９】
2013005349.tif 000011
【図１０】
2013005349.tif 000012
【図１１】
2013005349.tif 000013
【図１２】
2013005349.tif 000014
【図１３】
2013005349.tif 000015